【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】  転写材を積載する給紙手段と、変調されたレーザ光を感光体上に走査して潜像を担持する画像形成手段と、前記潜像を現像して可視像化する現像手段と、前記可視像を転写材に転写する転写手段と、前記可視像を転写した転写材を、熱源を内包した２つの回転体のニップ部で狭持搬送しながら熱定着させる定着手段を有する画像形成装置において、
前記給紙手段、画像形成手段、現像手段、転写手段、定着手段を制御するエンジン制御部と、該エンジン制御部と通信可能に接続され、該エンジン制御部へ印字動作の指示及び画像データの送出を行うコントローラ部を有し、
前記レーザ光をマスキングして、強制的に潜像を担持しないようにする画像マスク手段と、
前記給紙手段によって給紙された転写材のジャムを検出するジャム検出手段と、
前記画像形成装置内の残留紙を検出する残留紙検出手段と、
装置内の残留紙を装置外に排出する自動排紙手段と、
プリント中断時、前記エンジン制御部から前記コントローラ部へ、プリントが中断されたことを通知するミスプリント通知手段と、
前記ミスプリント通知手段により、プリントが中断されたことを通知された場合、前記コントローラ部が中断されたページをリカバリするリカバリ手段とを有し、
プリント中断時、前記残留紙検出手段によって前記定着手段のニップ部に転写材が狭持されている可能性があると判断した場合、前記エンジン制御部が、前記リカバリ手段によってリカバリされた最初のページを、前記定着手段のニップ部の汚れをクリーニングするためのクリーニングペーパとして使用する定着ローラクリーニング手段を有することを特徴とする画像形成装置。
【請求項２】  前記定着ローラクリーニング手段は、前記エンジン制御部が、前記リカバリ手段によってリカバリされた最初のページの全画像領域を、前記画像マスク手段によってマスキングし、未転写の転写材が前記定着手段のニップ部を通過するように制御し、その転写材が機外に排出された時点で、前記ミスプリント通知手段によって擬似的にプリントが中断されたことをコントローラ部に通知するダミーミスプリント通知手段を有することを特徴とする請求項１記載の画像形成装置。
【請求項３】  前記ダミーミスプリント通知手段は、前記定着ローラクリーニング手段によって、前記コントローラ部がリカバリした最初のページを、エンジン制御部がクリーニングペーパとした場合には、再度、コントローラ部に、クリーニングペーパとして使ったページからのリカバリを要求することを特徴とする請求項１又は２記載の画像形成装置。
【請求項４】  プリント中断時、前記定着手段のニップ部に転写材が狭持されている可能性があると判断した場合で、且つ、前記転写手段よりも上流に、前記定着手段のニップ部を汚した転写材と同じ幅或はそれよりも幅の広い未転写の転写材が滞留している場合には、前記定着ローラクリーニング手段の動作を実行しないことを特徴とする請求項１〜３の何れかに記載の画像形成装置。
【請求項５】  前記定着ローラクリーニング手段の動作実行中或は前記自動排紙手段の動作実行中に、前記クリーニングペーパが前記定着手段のローラに巻き付いた場合には、ユーザにクリーニングペーパを所定の給紙口にセットするように通知し、ユーザの指示によってクリーニングペーパを通紙することを特徴とする強制定着ローラクリーニング手段を有することを特徴とする請求項１〜４の何れかに記載の画像形成装置。
【請求項６】 転写材を積載する給紙手段と、画像データを発生するコントローラ部からの画像データに基づいて、像担持体上に画像を形成する画像形成手段と、前記像担持体上の画像を転写材に転写する転写手段と、転写材に転写された画像を熱定着させる定着手段を有する画像形成装置において、
前記給紙手段によって給紙された転写材のジャムを検出するジャム検出手段と、
少なくとも所定条件において前記ジャム検出手段によってジャムが検出された場合、操作者によるジャムした転写材の処理後、ジャムによって得られなかったページのリカバリに先立って前記定着手段のニップ部の汚れをクリーニングするために、前記給紙手段によって給紙された転写材をクリーニングペーパとして前記定着手段に通紙させる制御手段を有することを特徴とする画像形成装置。
【請求項７】 前記制御手段は、リカバリに係る最初のページの転写材を画像データに拘わらず白紙として前記定着手段に通紙させることによりクリーニングペーパとして用い、その後、再度、リカバリ動作を行わせることことを特徴とする請求項６に記載の画像形成装置。
【請求項８】 前記所定条件は、前記定着手段のニップ部に転写材が狭持されている可能性があると判断した場合であることを特徴とする請求項６又は請求項７に記載の画像形成装置。
【請求項９】  前記制御手段は、操作者によるジャムした転写材の処理後、ジャムによって得られなかったページのリカバリに先立って前記定着手段のニップ部の汚れをクリーニングする場合、少なくとも一定条件を満たす残留紙が当該画像形成装置内の検出されたときには、その残留紙を前記定着手段に通紙させることによりクリーニングペーパとして用い、その後、リカバリ動作を行わせることことを特徴とする請求項６に記載の画像形成装置。
【請求項１０】 前記一定条件を満たす残留紙とは、前記転写手段よりも上流に、前記定着手段のニップ部を汚した転写材と同じ幅或はそれよりも幅の広い未転写の転写材が滞留していることであることを特徴とする請求項９に記載の画像形成装置。
【手続補正２】
【補正対象書類名】明細書
【補正対象項目名】００１３
【補正方法】変更
【補正の内容】
【００１３】
請求項５記載の発明は、請求項１〜４の何れかに記載の発明において、前記定着ローラクリーニング手段の動作実行中或は前記自動排紙手段の動作実行中に、前記クリーニングペーパが前記定着手段のローラに巻き付いた場合には、ユーザにクリーニングペーパを所定の給紙口にセットするように通知し、ユーザの指示によってクリーニングペーパを通紙することを特徴とする強制定着ローラクリーニング手段を有することを特徴とする。
請求項６記載の発明は、転写材を積載する給紙手段と、画像データを発生するコントローラ部からの画像データに基づいて、像担持体上に画像を形成する画像形成手段と、前記像担持体上の画像を転写材に転写する転写手段と、転写材に転写された画像を熱定着させる定着手段を有する画像形成装置において、
前記給紙手段によって給紙された転写材のジャムを検出するジャム検出手段と、
少なくとも所定条件において前記ジャム検出手段によってジャムが検出された場合、操作者によるジャムした転写材の処理後、ジャムによって得られなかったページのリカバリに先立って前記定着手段のニップ部の汚れをクリーニングするために、前記給紙手段によって給紙された転写材をクリーニングペーパとして前記定着手段に通紙させる制御手段を有することを特徴とする。
請求項７記載の発明は、請求項６に記載の発明において、前記制御手段が、リカバリに係る最初のページの転写材を画像データに拘わらず白紙として前記定着手段に通紙させることによりクリーニングペーパとして用い、その後、再度、リカバリ動作を行わせることことを特徴とする。
請求項８記載の発明は、請求項６又は請求項７に記載の発明において、前記所定条件が、前記定着手段のニップ部に転写材が狭持されている可能性があると判断した場合であることを特徴とする。
請求項９記載の発明は、請求項６に記載の発明において、前記制御手段が、操作者によるジャムした転写材の処理後、ジャムによって得られなかったページのリカバリに先立って前記定着手段のニップ部の汚れをクリーニングする場合、少なくとも一定条件を満たす残留紙が当該画像形成装置内の検出されたときには、その残留紙を前記定着手段に通紙させることによりクリーニングペーパとして用い、その後、リカバリ動作を行わせることことを特徴とする。
請求項１０記載の発明は、請求項９に記載の発明において、前記一定条件を満たす残留紙とは、前記転写手段よりも上流に、前記定着手段のニップ部を汚した転写材と同じ幅或はそれよりも幅の広い未転写の転写材が滞留していることであることを特徴とする。
【手続補正３】
【補正対象書類名】明細書
【補正対象項目名】０１０５
【補正方法】変更
【補正の内容】
【０１０５】
又、本発明によれば、強制定着クリーニング機能を有することによって、画像形成装置がサポートしていないメディアが使用された場合でも、定着ローラクリーニングが可能となる。
本発明によれば、ジャムが検出された場合、操作者によるジャムした転写材の処理後、ジャムによって得られなかったページのリカバリに先立って前記定着手段のニップ部の汚れをクリーニングするために、前記給紙手段によって給紙された転写材をクリーニングペーパとして前記定着手段に通紙させることにより、定着ローラ上に残留したトナー除去することが可能となり、プリント再開時に、画像汚れ、転写材の裏汚れ、或は、残留トナーの粘着性による定着器巻き付きジャム等の発生を防ぐことが可能となる。